(57)【要約】【課題】給水部の装着の際水がこぼれたり装着が不安定になる可能性を抑制することを目的とする。【解決手段】フタ部１９の水と接触する側に水ゆれ防止リブ部２１を設けたという構成にしたことにより、給水部をレンジフードに装着する際、トレイ部１８に溜められた水がゆれ、波打つ水がフタ部１９に設けた水ゆれ防止リブ部２１に衝突し、大きな水のゆれを小さなゆれにするので、給水部を本体に装着の際、水がこぼれ、装着が不安定になることを抑制することができるレンジフードを得られる。【選択図】図２
2014062712.tif 000002
【特許請求の範囲】
【請求項１】
調理器の上方または周囲に設置され、汚染された空気を吸込む吸込口と、排気送風用の排気装置を内包した送風ケーシングとを連通して通風路を設けたフードと、前記通風路に駆動手段により回転する油捕集機構部と、前記油捕集機構部を浸漬させるための洗浄ケーシングと、前記洗浄ケーシングに水を供給するノズルと、前記ノズルに水を供給する給水部と、前記洗浄ケーシング内に散乱した汚水の回収手段とを有し、前記排気装置の排気用羽根車に汚れを捕集する前記油捕集機構部を一体に設け、前記給水部には、水を溜めるトレイ部と、前記ノズルまでの給水経路を挿入するための開口部を設けた前記トレイ部に被せるフタ部とで構成され、前記フタ部の水と接触する側に水ゆれ防止リブ部を設けたことを特徴とするレンジフード。
【請求項２】
水ゆれ防止リブ部を、開口部の周囲に設けたことを特徴とする請求項１に記載のレンジフード。
【請求項３】
水ゆれ防止リブ部を、複数個設けたことを特徴とする請求項１または２に記載のレンジフード。
【発明の詳細な説明】
【技術分野】
【０００１】
本発明は、洗浄機能を備えたレンジフードに水を供給する給水部に関するものである。
【背景技術】
【０００２】
従来、この種のレンジフードは、調理で発生する油煙や埃等を捕集する目的として、油捕集機構部が取り付けられていた。この油捕集機構部は使用とともに汚れが付着するため、性能が低下したり、捕集部から油垂れが生じるので、定期的に掃除を行う必要があった。また、それは排気用に設けられた羽根車にも同様である。
【０００３】
また、これら掃除の手間を軽減する目的で油捕集機構部を自動的に浄化する手段として、油捕集機構部に駆動装置を取り付けて回転させることにより、遠心力で汚れを除去する方法があり、かつ給水部に水を入れ、油捕集機構部に水を注入し、洗浄する方法もあった（例えば、特許文献１参照）。
【０００４】
以下、そのレンジフードについて図４を参照しながら説明する。
【０００５】
図４に示すように、汚れた空気１０１は、吸込口１０２を通過して排気ファン１０３の前方に配置されたフィルター１０４を通過し、このフィルター１０４を回転させる駆動装置１０５と、フィルター１０４の汚れを検知するセンサー１０６とを備えることで、フィルター１０４の汚れを検知してフィルター１０４を駆動装置１０５で回転させ、汚れを遠心力で除去させていた。
【先行技術文献】
【特許文献】
【０００６】
【特許文献１】特開平３−１６４６３９号公報
【発明の概要】
【発明が解決しようとする課題】
【０００７】
このような従来のレンジフードにおいては、給水部を設けた場合、給水部を本体に装着する際水がこぼれたりあるいは装着が不安定になる、という課題を有していた。
【０００８】
そこで本発明は、上記従来の課題を解決するものであり、給水部を本体に装着する際水がこぼれたりあるいは装着が不安定になることを抑制することができるレンジフードを提供することを目的とする。
【課題を解決するための手段】
【０００９】
そして、この目的を達成するために、本発明は、調理器の上方または周囲に設置され、汚染された空気を吸込む吸込口と、排気送風用の排気装置を内包した送風ケーシングとを連通して通風路を設けたフードと、前記通風路に駆動手段により回転する油捕集機構部と、前記油捕集機構部を浸漬させるための洗浄ケーシングと、前記洗浄ケーシングに水を供給するノズルと、前記ノズルに水を供給する給水部と、前記洗浄ケーシング内に散乱した汚水の回収手段とを有し、前記排気装置の排気用羽根車に汚れを捕集する前記油捕集機構部を一体に設け、前記給水部には、水を溜めるトレイ部と、前記ノズルまでの給水経路を挿入するための開口部を設けた前記トレイ部に被せるフタ部とで構成され、前記フタ部の水と接触する側に水ゆれ防止リブ部を設けたこととしたものであり、これにより所期の目的を達成するものである。
【発明の効果】
【００１０】
本発明によれば、調理器の上方または周囲に設置され、汚染された空気を吸込む吸込口と、排気送風用の排気装置を内包した送風ケーシングとを連通して通風路を設けたフードと、前記通風路に駆動手段により回転する油捕集機構部と、前記油捕集機構部を浸漬させるための洗浄ケーシングと、前記洗浄ケーシングに水を供給するノズルと、前記ノズルに水を供給する給水部と、前記洗浄ケーシング内に散乱した汚水の回収手段とを有し、前記排気装置の排気用羽根車に汚れを捕集する前記油捕集機構部を一体に設け、前記給水部には、水を溜めるトレイ部と、前記ノズルまでの給水経路を挿入するための開口部を設けた前記トレイ部に被せるフタ部とで構成され、前記フタ部の水と接触する側に水ゆれ防止リブ部を設けたという構成にしたことにより、給水部をレンジフードに装着する際、トレイ部に溜められた水がゆれ、波打つ水がフタ部に設けた水ゆれ防止リブ部に衝突し、大きな水のゆれを小さなゆれにすることとなるので、給水部を本体に装着の際、水がこぼれ、装着が不安定になることを抑制することができる、という効果を得ることができる。
【図面の簡単な説明】
【００１１】
【図１】本発明の実施の形態１のレンジフードを示す側面構成図
【図２】同レンジフードの給水部を示す斜視図
【図３】同レンジフードの給水部のフタ部を示す斜視図
【図４】従来のレンジフードを示す側面構成図
【発明を実施するための形態】
【００１２】
本発明の請求項１記載のレンジフードは、調理器の上方または周囲に設置され、汚染された空気を吸込む吸込口と、排気送風用の排気装置を内包した送風ケーシングとを連通して通風路を設けたフードと、前記通風路に駆動手段により回転する油捕集機構部と、前記油捕集機構部を浸漬させるための洗浄ケーシングと、前記洗浄ケーシングに水を供給するノズルと、前記ノズルに水を供給する給水部と、前記洗浄ケーシング内に散乱した汚水の回収手段とを有し、前記排気装置の排気用羽根車に汚れを捕集する前記油捕集機構部を一体に設け、前記給水部には、水を溜めるトレイ部と、前記ノズルまでの給水経路を挿入するための開口部を設けた前記トレイ部に被せるフタ部とで構成され、前記フタ部の水と接触する側に水ゆれ防止リブ部を設けた、という構成を有する。これにより、給水部をレンジフードに装着する際、トレイ部に溜められた水がゆれ、波打つ水がフタ部に設けた水ゆれ防止リブ部に衝突し、大きな水のゆれを小さなゆれにすることとなるので、給水部を本体に装着の際、水がこぼれ、装着が不安定になることを抑制することができる、という効果を奏する。
【００１３】
また、水ゆれ防止リブ部を、開口部の周囲に設けた、という構成にしてもよい。これにより、給水部をレンジフードに装着する際、トレイ部に溜められた水がゆれ、波打つ水がフタ部に設けた水ゆれ防止リブ部に衝突し、開口部全体に対して大きな水のゆれを小さなゆれにすることとなるので、開口部からの水漏れを抑制することができる、という効果を奏する。
【００１４】
また、水ゆれ防止リブ部を、複数個設けた、という構成にしてもよい。これにより、給水部をレンジフードに装着する際、トレイ部に溜められた水がゆれ、波打つ水がフタ部に設けた水ゆれ防止リブ部に衝突し、大きな水のゆれを更に小さなゆれにすることとなるので、波打つ水の衝突効果が増え、水のゆれを抑制することができ、より給水部の装着を安定させることができる、という効果を奏する。
【００１５】
以下、本発明の実施の形態について図面を参照しながら説明する。
【００１６】
（実施の形態１）
図１〜図３に示すように、調理器（図示せず）の上方に、調理にて発生した油煙や周囲に浮遊する埃である微小物を捕集する吸込口１を調理者（図示せず）が立っている前方側に設けたフード２を設置し、フード２には、天面に屋外と連通したダクト３を介して連通する吐出口４を設け、内部には遠心ファンである排気用羽根車５を包括した送風ケーシング６を配設し、この排気用羽根車５を介し吸込口１と吐出口４を結ぶ通風路７を形成している。
【００１７】
また、フード２内の吸込口１の近傍には平坦な整流板８が設けられ、排気用羽根車５には油や埃を捕集するための油捕集機構部を設け、送風ケーシング６内の排気用羽根車５の外側の下方に排気用羽根車５を浸漬させるための洗浄ケーシング１０を有し、送風ケーシング６内で洗浄ケーシング１０より上方にノズル１１が設けられている。
【００１８】
ノズル１１は給水ポンプ１３を介して給水部１２と連通している。
【００１９】
給水部１２は、水を溜めるトレイ部１８とトレイ部１８の上方を覆うフタ部１９で構成している。フタ部１９には、給水ポンプと連通させるための開口部２０と、裏面には溜められた水の揺れを抑制する水ゆれ防止リブ部２１を設けている。給水ポンプ１３により、給水部１２内の水をノズル１１へ送水し、ノズル１１より洗浄ケーシング１０内へ水を給水する。
【００２０】
また、洗浄ケーシング１０の下端部には小孔１５を設け、小孔１５は小孔１５近傍に設けられた弁（図示せず）により開閉できる構造とし、弁（図示せず）により小孔１５を開放することで洗浄ケーシング１０うちに散乱した汚水を小孔１５から排水して排水装置１６へ回収する。
【００２１】
上記構成において、調理時に発生した油や室内の埃などの汚れは、排気用羽根車５を駆動手段１７（例えばＤＣモータ）により回転させることで、整流板８の四方周囲の吸込口１からフード２内に吸い込まれ、排気用羽根車５の油捕集機構部にて捕集・蓄積されていく。排気用羽根車５の通過後の浄化された空気は、排気用羽根車５によって吐出口４よりダクト３を通じ屋外に排出される。その過程で、排気用羽根車５や油捕集機構部に油や埃が蓄積されていく。
【００２２】
排気用羽根車５には、整流板８の周囲の吸込口１からフード２内に吸こまれた油、埃が排気用羽根車５の羽根部分に付着、蓄積することにより排気用羽根車５内の風の流れが変化し排出風量の低下を招くこととなる。
【００２３】
そのため、排気用羽根車５の洗浄を行うが、まず、駆動手段１７により排気用羽根車５を回転させ、同時に給水ポンプ１３により給水部１２に貯めた水を汲み上げノズル１１に供給する。そして、給水部１２内の水は事前に給水し、ノズル１１の噴射口（図示せず）より噴射された水は膜状に蓄積した油や埃に衝突することで汚れの膜を破砕し剥離除去し、回転による遠心力にて排気用羽根車５から飛散させて洗浄することとなる。
【００２４】
上記洗浄動作の事前に給水する給水部１２は、トレイ部１８に水を入れ、フタ部１９でフタをする。そして、水の入った給水部１２をフード２の奥側の下方に装着する際、トレイ部１８に溜められた水がゆれ、波打つ水がフタ部１９に設けた水ゆれ防止リブ部２１に衝突し、大きな水のゆれを小さなゆれにすることで、フタ部１９の開口部２０から水がこぼれ、装着が不安定になることを抑制することができる。
【００２５】
また開口部２０の周囲に水ゆれ防止リブ部２１を配置することで、開口部２０周囲の水のゆれに対してゆれ抑制の効果が発揮できるため、開口部２０からの水こぼれをさらに抑制することができる。
【００２６】
さらに、フタ部１９に設けた水ゆれ防止リブ部２１を複数個配置することで、波打つ水の衝突が増加して水の揺れが小さくなり、フタ部１９の開口部２０から水がこぼれ、装着が不安定になることをさらに抑制することができる。
【産業上の利用可能性】
【００２７】
本発明にかかるレンジフードは、水のゆれを抑制する給水部の構成とするものであるので、給水を必要とする洗浄機能を設けた換気扇等として有用である。
【符号の説明】
【００２８】
１    吸込口
２    フード
３    ダクト
４    吐出口
５    排気用羽根車
６    送風ケーシング
７    通風路
８    整流板
１０  洗浄ケーシング
１１  ノズル
１２  給水部
１３  給水ポンプ
１５  小孔
１６  排水装置
１７  駆動手段
１８  トレイ部
１９  フタ部
２０  開口部
２１  水ゆれ防止リブ部
【図１】
2014062712.tif 000003
【図２】
2014062712.tif 000004
【図３】
2014062712.tif 000005
【図４】
2014062712.tif 000006